(57)【要約】【課題】通信端末において、当該通信端末の処理対象である電子機器に関するサービスの提供を受けられるようにする。【解決手段】電子機器１０から発信される無線信号を受信した通信端末２０と通信可能なサーバ４０において、通信端末２０が送信した無線信号に含まれる電子機器１０の状態を示す状態情報および第１の識別情報と、通信端末２０が保持する第２の識別情報とを受信する。サーバ４０は、受信した第１の識別情報と第２の識別情報とに基づいて、第１の識別情報が通信端末２０の処理対象であるか否かを判定し、判定結果に応じて通信端末２０に当該通信端末２０の処理に必要な情報を提供する。また、サーバ４０は、通信端末２０から受信した状態情報を管理する。【選択図】図２
2015170193.tif 000002
【特許請求の範囲】
【請求項１】
無線通信機能を有する電子機器と、前記電子機器と無線通信可能な通信端末と、前記通信端末と通信可能なサーバとを含む電子機器管理システムであって、
前記電子機器は、
第１の識別情報を記憶する第１の記憶部と、
前記電子機器の状態を示す状態情報を取得する状態情報取得部と、
前記状態情報および前記第１の識別情報を無線信号として送信する送信部と
を備え、
前記通信端末は、
第２の識別情報を記憶する第２の記憶部と、
前記無線信号を受信する受信部と、
前記通信端末が受信した前記無線信号に含まれる前記状態情報および前記第１の識別情報と前記第２の識別情報を前記サーバに送信するサーバ通信部と、
を備え、
前記サーバは、
前記通信端末が送信した前記状態情報および前記第１の識別情報と前記第２の識別情報を受信する端末通信部と、
前記端末通信部が受信した前記第１の識別情報と前記第２の識別情報とに基づいて、前記第１の識別情報が前記通信端末の処理対象であるか否かを判定する判定部と、
受信した前記状態情報を管理する状態管理部と、
前記判定部の判定結果に応じて前記端末通信部を介して前記通信端末に当該通信端末の処理に必要な情報を提供する処理部と、
を有する電子機器管理システム。
【請求項２】
前記状態情報取得部は、前記電子機器の状態が所定の状態となったことを検知し、当該所定の状態であることを示す状態情報を取得する
請求項１に記載の電子機器管理システム。
【請求項３】
前記電子機器の送信部は、前記状態情報および前記第１の識別情報を暗号化して送信し、
前記サーバは、暗号化された前記状態情報および前記第１の識別情報を復号化する復号部を更に備える
請求項１または２に記載の電子機器管理システム。
【請求項４】
前記無線信号は、Ｂｌｕｅｔｏｏｔｈ（登録商標）規格によって規定されるアドバタイズ信号である
請求項１〜３のいずれかに記載の電子機器管理システム。
【請求項５】
前記サーバの処理部は、前記第１の識別情報が前記通信端末の処理対象である場合に、前記通信端末の処理に必要な情報を提供する
請求項１〜４のいずれかに記載の電子機器管理システム。
【請求項６】
前記サーバの処理部は、前記通信端末の処理に必要な情報として、前記第１の識別情報が前記通信端末の処理対象であるという判定結果を提供する
請求項５のいずれかに記載の電子機器管理システム。
【請求項７】
前記サーバの処理部は、前記通信端末の処理に必要な情報として、前記第１の識別情報に対応する情報を提供する
請求項１に記載の電子機器管理システム。
【請求項８】
電子機器から発信される無線信号を受信した通信端末と通信可能な電子機器管理サーバであって、
前記通信端末が送信した前記無線信号に含まれる前記電子機器の状態を示す状態情報および第１の識別情報と、前記通信端末が保持する第２の識別情報とを受信する端末通信部と、
前記端末通信部が受信した前記第１の識別情報と前記第２の識別情報とに基づいて、前記第１の識別情報が前記通信端末の処理対象であるか否かを判定する判定部と、
受信した前記状態情報を管理する状態管理部と、
前記判定部の判定結果に応じて前記端末通信部を介して前記通信端末に当該通信端末の処理に必要な情報を提供する処理部と、
を有する電子機器管理サーバ。
【請求項９】
無線通信機能を有する電子機器と、前記電子機器と無線通信可能な通信端末と、前記通信端末と通信可能なサーバとを含む電子機器管理システムにおける電子機器管理方法であって、
前記電子機器が、前記電子機器の状態を示す状態情報および第１の識別情報を無線信号として送信する処理と、
前記無線信号を受信した通信端末が、前記無線信号に含まれる前記状態情報および前記第１の識別情報と第２の識別情報を前記サーバに送信する処理と、
前記サーバが、前記通信端末から受信した前記第１の識別情報と前記第２の識別情報とに基づいて、前記第１の識別情報が前記通信端末の処理対象であるか否かを判定する処理と、
前記サーバが、判定結果に応じて前記通信端末に当該通信端末の処理に必要な情報を提供する処理と、
前記サーバが、前記通信端末から受信した前記状態情報を管理する処理と、
を備える電子機器管理方法。
【発明の詳細な説明】
【技術分野】
【０００１】
本発明は、電子機器と、ビーコン信号を受信可能な通信端末と、該通信端末と通信可能なサーバとを含む電子機器管理システム、電子機器管理サーバ及び電子機器管理方法に関する。
【背景技術】
【０００２】
通信端末の普及に伴い、通信端末と電子機器とを接続して、電子機器からの情報を通信端末において受信して、その情報を利用するシステムが利用されるようになっている。例えば、通信端末が電子機器から取得した情報をクラウドコンピュータに送信することによりサービスの提供を受けるシステムが提案されている（例えば、特許文献１〜３参照。）。
【先行技術文献】
【特許文献】
【０００３】
【特許文献１】特開２０１３−１８２２７９号公報
【特許文献２】特開２０１３−１９１９１７号公報
【特許文献３】特開２０１３−１９１９１８号公報
【発明の概要】
【発明が解決しようとする課題】
【０００４】
上述の従来技術では、電子機器に通信システムＬＳＩ（Large Scale Integration）を内蔵することによって無線通信により通信端末に接続させて、サービスの提供を受けることを可能にしている。また、電子機器に内蔵した通信システムＬＳＩが、情報処理装置から受信したコマンドに基づいて、ユーザの操作を模する電気信号または電子機器の状態を変える電気信号を生成して、電子機器の制御部へ出力し、電子機器を操作することを可能にしている。
【０００５】
しかしながら、従来技術では、通信端末が処理対象とする電子機器以外からの情報を利用したり、処理対象とする電子機器以外の電子機器を操作したりすることが可能であるが、処理対象とする電子機器以外の電子機器に関するサービスの提供は必要とされていない。
【０００６】
上記の状況から、通信端末において、当該通信端末の処理対象である電子機器のみに関するサービスの提供を受けられる手法が求められていた。
【課題を解決するための手段】
【０００７】
本発明の一態様は、無線通信機能を有する電子機器と、電子機器と無線通信可能な通信端末と、この通信端末と通信可能なサーバとを含む電子機器管理システム、電子機器管理サーバ及び電子機器管理方法である。
電子機器から発信される無線信号を受信した通信端末と通信可能なサーバにおいて、通信端末が送信した無線信号に含まれる電子機器の状態を示す状態情報および第１の識別情報と、通信端末が保持する第２の識別情報とを受信する。サーバは、受信した第１の識別情報と第２の識別情報とに基づいて、第１の識別情報が通信端末の処理対象であるか否かを判定し、判定結果に応じて通信端末に当該通信端末の処理に必要な情報を提供する。また、サーバは、通信端末２０から受信した状態情報を管理する。
【発明の効果】
【０００８】
本発明によれば、通信端末は、当該通信端末の処理対象である電子機器のみに関するサービスの提供を受けることができる。さらに、サーバは、通信端末が処理対象とする電子機器の状態を示す状態情報に加え、その処理対象とする電子機器以外の状態情報も管理することができる。
【図面の簡単な説明】
【０００９】
【図１】本発明の実施の形態に係る電子機器管理システムの全体構成例を示す図である。
【図２】本発明の一実施の形態に係る電子機器管理システム（電子機器と制御対象機器が一致）の各装置の構成例を示す図である。
【図３】図２の電子機器から出力される無線信号のデータ構造例を示す図である。
【図４】図２のサーバに格納される電子機器ＩＤデータベースの一例を示す図である。
【図５】図２のサーバに格納される状態情報データベースの一例を示す図である。
【図６】図２の電子機器管理システムによる通信端末への情報提供の処理手順を示したシーケンス図である。
【図７】図２の電子機器管理システム（電子機器と制御対象機器が不一致）の各装置の構成例を示す図である。
【図８】図７のサーバに格納される電子機器ＩＤデータベースの一例を示す図である。
【図９】図７のサーバに格納される状態情報データベースの一例を示す図である。
【図１０】ビーコンＩＤと電子機器ＩＤが対応づけられた電子機器ＩＤデータベースの一例を示す図である。
【図１１】操作用アプリケーションのＩＤと、当該操作用アプリケーションを用いて制御できる電子機器ＩＤが対応づけられた電子機器ＩＤデータベースの一例を示す図である。
【図１２】操作用アプリケーションのＩＤと、当該操作用アプリケーションを用いて制御できる複数の製品カテゴリーの電子機器ＩＤが対応づけられた電子機器ＩＤデータベースの一例を示す図である。
【発明を実施するための形態】
【００１０】
以下、本発明を実施するための形態の例について、添付図面を参照しながら説明する。なお、各図において実質的に同一の機能又は構成を有する構成要素については、同一の符号を付して重複する説明を省略する。
【００１１】
＜１．一実施の形態＞
［電子機器管理システムの概要］
図１は、本発明の一実施の形態に係る電子機器管理システムの全体構成例を示す図である。
電子機器管理システム１は、図１に示すように、電子機器（例えば、空気調節装置１０、冷蔵庫５０、自動車６０等）と、通信端末２０と、サーバ４０を備える。通信端末２０と各電子機器との間は、無線通信により接続され、データが直接送受信される。また、通信端末２０とサーバ４０との間の経路は、無線通信路および有線通信路を含み得る。
【００１２】
各電子機器は、通信端末２０による処理対象（以下「制御対象」と表記することもある）となる機器である。図１では、空気調節装置１０、冷蔵庫５０、自動車６０が例示されている。電子機器は、後述するように通信部を備え、通信端末２０との間で無線通信を行う。
【００１３】
通信端末２０は、ユーザ２とのやりとりを行うユーザインターフェースを備えて、操作入力を受け付け、または、表示などの出力を行う端末である。通信端末２０としては、例えば、スマートフォンなどの携帯端末が想定される。
【００１４】
サーバ４０は、電子機器の状態情報を管理するサーバ（電子機器管理サーバの一例）である。サーバ４０は、ネットワークに接続されたコンピュータであり、例えばクラウドコンピュータが適用される。
【００１５】
電子機器管理システム１において、空気調節装置１０、冷蔵庫５０及び自動車６０のそれぞれに組み込まれた通信機能を有する集積回路１１が、識別情報（第１の識別情報）を含む無線信号を間欠的に発信する。これらの電子機器に組み込まれた集積回路１１が発信する無線信号の到達距離の範囲内に存在する通信端末２０は、この無線信号を受信する。そして、通信端末２０は、受信した無線信号に含まれる第１の識別情報と、通信端末２０自身が保持している識別情報（第２の識別情報）をサーバ４０へ送信する。サーバ４０は、通信端末２０から受信した第１の識別情報と第２の識別情報とに基づいて、第１の識別情報が通信端末２０の処理対象であるか否かを判定し、判定結果に応じて通信端末２０の処理に必要な情報を当該通信端末２０に提供する。
【００１６】
以下、一実施の形態に係る電子機器管理システム１として、通信端末２０の処理対象が空気調節装置１０である場合を例に説明する。
【００１７】
［ビーコン信号を出力する電子機器ＩＤと制御対象の電子機器ＩＤが一致する場合］
図２は、電子機器管理システム１の各装置の構成例を示す図である。
電子機器管理システム１を構成する空気調節装置１０（電子機器の一例）、通信端末２０及びサーバ４０では、コンピュータがプログラムを実行することにより、後述する機能ブロックの連携によって通信端末への情報提供の処理手順が行われる。
【００１８】
電子機器管理システム１は、空気調節装置１０、通信端末２０、及びサーバ４０を備える。通信端末２０とサーバ４０は、インターネット等のネットワーク３０を介して通信を行う。図２は、空気調節装置１０の電子機器ＩＤ（Identifier）と制御対象（空気調節装置１０）の電子機器ＩＤ（制御対象機器ＩＤ）が一致する場合の例である。電子機器ＩＤは、電子機器ごとに固有の識別子（第１の識別情報）である。
【００１９】
（空気調節装置の構成例）
空気調節装置１０は、制御部１２、記憶部１３、暗号化部１４、通信部１５、フィルタ交換検出部１６、水漏れ検出部１７、及びモータ異常検出部１８を備える。制御部１２、記憶部１３、暗号化部１４及び通信部１５は、集積回路１１に実装されている。
【００２０】
制御部１２は、空気調節装置１０内の各部の動作を制御する。この制御部１２は、例えば、中央演算処理装置（ＣＰＵ：Central Processing Unit）によって構成される。制御部１２は、空気調節装置１０の状態を示す状態情報ｉｂとして、フィルタ交換検出部１６、水漏れ検出部１７、及びモータ異常検出部１８が検出した結果を受け取る。制御部１２は、記憶部１３に記憶された電子機器ＩＤｉａと空気調節装置１０の状態を示す状態情報ｉｂを暗号化部１４に送る。
【００２１】
記憶部１３（第１の記憶部の一例）は、例えば、ＲＯＭ（Read Only Memory）、ＲＡＭ（Random Access Memory）等の記憶媒体によって構成されている。この記憶部１３には、制御部１２が実行するプログラム、パラメータ、電子機器ＩＤ等の様々なデータが永久記憶又は一時記憶されている。記憶部１３には、当該記憶部１３を有する電子機器（図２では空気調節装置１０）の電子機器ＩＤｉａが記憶されている。
【００２２】
暗号化部１４は、制御部１２の制御の下、制御部１２から供給される情報（データ）に暗号鍵を適用して暗号化し、暗号化した情報を通信部１５へ送る。ここでは、電子機器ＩＤｉａと状態情報ｉｂをそれぞれ暗号化して、通信部１５へ送る。もしくは、電子機器ＩＤｉａと状態情報ｉｂを含む無線信号全体を暗号化してもよい。
【００２３】
通信部１５（送信部の一例）は、制御部１２の制御の下、通信端末２０との間で無線通信により送信及び受信を行う。通信部１５は、暗号化部１４で暗号化された電子機器ＩＤｉａ及び状態情報ｉｂを含む無線信号を通信端末２０に送信し、また通信端末２０からユーザの操作指示（コマンド）を含む無線信号を受信する。通信部１５は、送信の際には、ビーコン信号（無線信号）を生成して、ブロードキャスト方式で間欠的に送信する。
【００２４】
通信部１５は、例えば、Bluetooth(登録商標) Low Energy規格（以下、「ＢＬＥ規格」と略記する。）によって規定されるアドバタイズ信号をビーコン信号として生成し、ＢＬＥ規格に則った手順で無線信号を不図示のアンテナに送る。そして、アンテナから空気調節装置１０の周囲に無線信号が送信される。なお、空気調節装置１０（電子機器）と通信端末２０との間の通信方式としては、ＢＬＥ規格に限らず、例えば、Ｗｉ−Ｆｉ（登録商標）などの短距離無線通信を利用してビーコン信号を生成してもよい。
【００２５】
図３は、空気調節装置１０から出力される無線信号のデータ構造を示す。
例えば、無線信号を構成するパケットのペイロード（データ本体部分）に、空気調節装置１０を識別する電子機器ＩＤｉａと、空気調節装置１０の状態を示す状態情報ｉｂが格納されている。
【００２６】
フィルタ交換検出部１６は、空気調節装置１０の内部に設けられたフィルタの交換の要否を検出し、検出結果を制御部１２に送る。フィルタ交換検出部１６は、例えばフィルタの汚れ具合や目詰まり具合から交換の要否を判断する。
【００２７】
水漏れ検出部１７は、空気調節装置１０の内部における水漏れの有無を検出し、検出結果を制御部１２に送る。
【００２８】
モータ異常検出部１８は、空気調節装置１０の内部に設けられたモータの異常を検出し、検出結果を制御部１２に送る。モータ異常検出部１８は、例えばモータの音や振動、熱などから異常の有無を判断する。
【００２９】
フィルタ交換検出部１６、水漏れ検出部１７、及びモータ異常検出部１８は、それぞれ状態情報取得部の一例である。各検出部は、空気調節装置１０（のフィルタ交換、水漏れ、モータ異常の各項目）が所定の状態になったことを検知し、所定の状態であることを示す状態情報を出力する。各検出部は、不図示の主回路基板に実装される。主回路基板は、空気調節装置１０としての本来の機能を有するメイン回路が実装されている。空気調節装置１０は、主回路基板において生成されたデータ（検出結果）を、集積回路１１を介して通信端末２０に送信し、また、通信端末２０からデータ（操作信号）を受け取ることができるように構成されている。なお、集積回路１１が不図示の主回路基板に実装された構成としてもよい。
【００３０】
制御部１２は、各検出部の検出結果を受信し、空気調節装置１０（のフィルタ交換、水漏れ、モータ異常の各項目）が所定の状態であることを示す状態情報を得る。そして、制御部１２は、この状態情報を暗号化部１４へ送る。
【００３１】
一方で、空気調節装置１０の状態が所定の状態にない場合には、空気調節装置１０から通信端末２０へ状態情報を送信せず、電子機器ＩＤのみを送信するようにしてもよい。なお、不図示の電源部（例えば、ボタン電池）が取り替えられるなどして空気調節装置１０が初期化したときにも、通信端末２０へ状態情報を送信するようにしてもよい。
【００３２】
（通信端末の構成例）
通信端末２０は、処理部２１、記憶部２２、通信部２３、サーバ通信部２４、操作部２５、及び表示部２６を備える。
【００３３】
処理部２１は、記憶部２２から読み出したプログラム、パラメータ等に基づいて、通信端末２０内の各部を制御する。処理部２１は、例えば、中央演算処理装置（ＣＰＵ）によって構成される。処理部２１は、空気調節装置１０から受信した暗号化された電子機器ＩＤｉａ及び状態情報ｉｂが含まれた無線信号を受信する。処理部２１は、暗号鍵に対応する復号鍵を有していないので、受信した無線信号に含まれるこれらの情報を認識しない。そして、処理部２１は、その無線信号に含まれた電子機器ＩＤｉａ及び状態情報ｉｂを、ネットワーク３０を介してサーバ４０に送信する。このようにした場合、通信端末２０では暗号化された電子機器ＩＤｉａ及び状態情報ｉｂが復号されないことから、通信端末２０を使用するユーザがこれらの情報を見ることがなく、ユーザに負担がかからない。また、悪意を持つ者が電子機器ＩＤｉａ及び状態情報ｉｂを解析することができない。
【００３４】
通信端末２０には、予め電子機器を操作するための操作用アプリケーションがインストトールされている。図２の例では、空気調節装置１０を操作するための空調アプリケーション２１ａが通信端末２０にインストールされている。ユーザは、空調アプリケーション２１ａが起動している状態において、操作部２５を操作して空調アプリケーション２１ａを利用し、空気調節装置１０に対して設定温度変更などの指示を行う。すると、処理部２１は、ユーザから空気調節装置１０に対する操作指示がなされたことを検知し、記憶部２２に記憶されている空調アプリケーション２１ａが制御対象とする電子機器のＩＤ（制御対象機器ＩＤ、第２の識別情報）を、サーバ４０に送信する。あるいは、空調アプリケーション２１ａの機能として、当該空調アプリケーション２１ａの制御対象機器ＩＤの送信をユーザが直接指示できる操作メニューを用意しておいてもよい。本実施の形態では、記憶部２２に記憶されている制御対象機器ＩＤは、空気調節装置１０の電子機器ＩＤである。
【００３５】
また、処理部２１は、サーバ４０から受信する、通信端末２０の処理に必要な情報を処理する機能を有する。処理部２１は、操作部２５から入力された操作信号やサーバ通信部２４が不図示のアンテナを介して受信した各種の情報に基づいて、表示部２６にテキスト、画像等を表示するための各種制御を行う。
【００３６】
なお、仮に空気調節装置１０から電子機器ＩＤｉａ及び状態情報ｉｂが平文データで送られてきたとしても、空気調節装置１０はこの平文データの電子機器ＩＤｉａ及び状態情報ｉｂを解釈する機能（アプリケーション）を有していない。したがって、空気調節装置１０から送られてくる電子機器ＩＤｉａ及び状態情報ｉｂが暗号化データ又は平文データのいずれであっても、通信端末２０ではこれらの情報を認識しない。
【００３７】
記憶部２２（第２の記憶部の一例）は、例えば、ＲＯＭ、ＲＡＭ等の記憶媒体によって構成されている。この記憶部２２には、通信端末２０内の各部を制御するためのプログラム、パラメータ、サーバ４０から受信した情報等の様々なデータが永久記憶又は一時記憶されている。この記憶部２２には、通信端末２０で起動している操作用アプリケーションに対応する制御対象機器ＩＤｉｃが記憶されている。
【００３８】
通信部２３（受信部の一例）は、処理部２１の制御の下、上述したＢＬＥ規格又はＷｉ−Ｆｉ規格等に則って通信制御を行う。通信部２３は、不図示のアンテナを介して空気調節装置１０から受信した無線信号を復調して処理部２１に送る。また、通信部２３は、ユーザの操作指示（コマンド）を含む無線信号を空気調節装置１０へ送信する。
【００３９】
サーバ通信部２４は、処理部２１の制御の下、不図示の基地局アンテナとの間で行われる基地局通信を行うための制御を行う。また、サーバ通信部２４は、例えば、Ｗｉ−Ｆｉ（登録商標）用の不図示のアクセスポイントやルータと相互にデータ通信を行うためのパケット通信等を制御する。また、サーバ通信部２４は、変調したデータを不図示のアンテナから無線送信したり、そのアンテナから無線受信したデータを復調して処理部２１に渡したりする処理を行う。なお、通信端末２０とサーバ４０との間の通信は、ＳＳＬ／ＴＬＳ（Secure Sockets Layer/Transport Layer Security）プロトコル等を用いて通信を行うことにより、セキュアな接続を保証している。
【００４０】
操作部２５は、通信端末２０に配された不図示のボタン、スイッチの他に、画面タッチ等によって行われた操作入力に従って、操作信号を処理部２１に出力する。
【００４１】
表示部２６は、処理部２１の制御の下、サーバ４０から受信した情報を表示する。表示部２６は、例えば液晶表示パネルにより構成される。なお、通信端末２０では、操作部２５と表示部２６は、操作面と表示面とを重ねた一つのタッチパネルディスプレイとして形成されている。
【００４２】
（サーバの構成例）
サーバ４０は、通信部４１、記憶部４２、復号部４５、判定部４６、処理部４７及び状態管理部４８を備える。
【００４３】
通信部４１（端末通信部の一例）は、不図示の基地局との間で行われる基地局通信を行うための制御を行う。また、通信部４１は、例えば、Ｗｉ−Ｆｉ（登録商標）用の不図示のアクセスポイントやルータと相互にデータ通信を行うためのパケット通信等を制御する。また、通信部４１は、指示されたデータを変調して不図示のアンテナから無線通信により送信したり、そのアンテナから無線通信により受信したデータを復調して記憶部４２に渡したりする処理を行う。
【００４４】
記憶部４２は、例えば、ＲＯＭ、ＲＡＭ等の記憶媒体によって構成されている。この記憶部４２には、サーバ４０内の各部を制御するためのプログラム、パラメータ、通信端末２０から受信した電子機器ＩＤｉａ及び状態情報ｉｂ、制御対象機器ＩＤｉｃ等の様々なデータが永久記憶又は一時記憶されている。ここでは、記憶部４２に、電子機器ＩＤデータベース（図２では「機器ＩＤＤＢ」と記載）４３と、状態情報データベース（図２では「状態情報ＤＢ」と記載）４４が格納されている。記憶部４２は、通信部４１が通信端末２０から電子機器ＩＤｉａ及び状態情報ｉｂを受信する都度、すなわち空気調節装置１０が通信端末２０に状態情報ｉｂを含んだ無線信号を送信する都度、状態情報データベース４４を更新する。
【００４５】
図４は、電子機器ＩＤデータベース４３の一例を示す。
電子機器ＩＤデータベース４３は、通信端末２０から受信した電子機器ＩＤｉａと、該電子機器ＩＤｉａに対応する電子機器の情報が格納される。図４の例では、電子機器ＩＤデータベース４３に、電子機器ＩＤｉａ“１００”と、“空気調節装置１０”が対応づけられて格納されている。
【００４６】
図５は、状態情報データベース４４の一例を示す。
状態情報データベース４４には、通信端末２０から受信した電子機器ＩＤｉａと、該電子機器ＩＤｉａに対応する空気調節装置１０の状態情報ｉｂが格納される。この例では、電子機器ＩＤｉａが“１００”である空気調節装置１０に関して、状態情報ｉｂとして、“フィルタ交換必要”、“水漏れなし”、“モータ異常なし”が格納されている。例えば、所定の状態になった項目がある場合には、該当する項目（この例ではフィルタ交換）のフラグをオンし、該当しない項目（水漏れ、モータ異常）のフラグをオフしておく。
【００４７】
なお、状態情報データベース４４において、所定の状態になったことを示す情報に代えて、現時点での各項目の状態を記録するようにしてもよい。例えば、フィルタ交換の時期が近づいてきたこと（交換までの日数等）を示す情報を記録するようにしてもよい。このような情報を状態情報データベース４４に記録し、通信端末２０に送信するようにした場合には、サーバ４０の監視員又は通信端末２０のユーザが、現時点での空気調節装置１０の各項目の状態を正確に把握することができる。
【００４８】
復号部４５は、通信部４１が受信した無線信号に含まれる、暗号化された電子機器ＩＤｉａ及び状態情報ｉｂのデータをそれぞれ復号し、判定部４６に送る。また、受信した制御対象機器ＩＤｉｃのデータはそのまま判定部４６に送る。なお、空気調節装置１０から発信された無線信号全体が暗号化されている場合は、復号部４５は、通信部４１が受信した電子機器ＩＤｉａ及び状態情報ｉｂが含まれたデータ全体を復号する。なお、復号部４５は、通信部４１の後段、例えば通信部４１と記憶部４２の間に配置されていてもよい。
【００４９】
判定部４６は、通信部４１が受信した電子機器ＩＤｉａと制御対象機器ＩＤｉｃとに基づいて、電子機器ＩＤｉａが通信端末２０の処理対象であるか否かを判定し、判定結果を処理部４７に送る。する。例えば、判定部４６は、制御対象機器ＩＤｉｃを電子機器ＩＤデータベース４３の電子機器ＩＤと照合し、両者が一致した場合には、電子機器ＩＤｉａが通信端末２０の処理対象であると判定する。
【００５０】
処理部４７は、記憶部４２から読み出したプログラム、パラメータ等に基づいて、サーバ４０内の各部を制御する。処理部４７は、例えば、中央演算処理装置（ＣＰＵ）によって構成される。処理部４７は、判定部４６の判定結果に応じて、通信部４１を介して通信端末２０に当該通信端末２０の処理に必要な情報ｉｄを提供するよう処理を行う。提供する情報ｉｄは、例えば電子機器ＩＤｉａが通信端末２０の処理対象であるか否かの判定結果や、電子機器ＩＤｉａに対応する情報である。電子機器ＩＤｉａに対応する情報としては、例えば電子機器ＩＤｉａによって特定される情報（例えば商品情報）がある。この場合、サーバ４０の記憶部４２には、不図示の商品情報データベースが格納される。
【００５１】
商品情報データベースには、通信端末２０から受信した空気調節装置１０の電子機器ＩＤｉａと、該電子機器ＩＤｉａに対応する商品情報が蓄積されている。商品情報は、例えば電子機器ＩＤｉａによって特定される商品サイトのＵＲＬ（Uniform Resource Locator）である。処理部４７により、電子機器ＩＤｉａに対応する情報として商品サイトのＵＲＬが商品情報データベースから読み出され、通信端末２０へ送信される。なお、商品サイトに掲載される情報の一例としては、商品の商品情報（商品名、説明、画像、価格等）、商品を販売する店舗の情報などがある。以下、商品の商品情報と商品のその他の情報を総称する場合には、商品の商品情報等と記す。商品の名称や説明、価格等は狭義の商品情報であるが、商品サイトにアクセスするためのＵＲＬは広義の商品情報である。
【００５２】
サーバ４０から通信端末２０に送信されたＵＲＬが表示部２６に表示されると、通信端末２０を保持するユーザは、このＵＲＬをクリックする動作を行う。このクリックの動作が行われると、通信端末２０は、ネットワーク３０を経由してアクセスしたＷｅｂサーバに構築された、当該ＵＲＬにより特定される商品サイトよりダウンロードを開始する。そして、ダウンロードした商品の商品情報等を表示部２６に表示する。この商品サイトには、ユーザが興味を持った商品の商品情報の他にも多数の商品情報が含まれているため、ユーザに購買意欲を引き起こさせることができる。なお、商品サイトがネットワーク３０に接続された任意のＷｅｂサーバに構築された例を説明したが、商品サイトをサーバ４０に構築してもよいことは勿論である。
【００５３】
状態管理部４８は、通信端末２０から受信した空気調節装置１０の状態情報ｉｂを管理する。すなわち、状態管理部４８は、状態情報データベース４４を確認して空気調節装置１０の状態情報を管理する。例えば状態管理部４８は、状態情報データベース４４が更新される度に、状態情報データベース４４の状態情報を確認し、空気調節装置１０の各項目が所定の状態となった場合に報知するなどの必要な処理を行う。
【００５４】
表示装置４９は、不図示のインターフェースを介して、サーバ４０の状態管理部４８と接続されている。表示装置４９は、例えば液晶ディスプレイにより構成される。
【００５５】
［通信端末への情報提供の処理手順］
次に、電子機器管理システム１による通信端末２０への情報提供の手順について説明する。
図６は、電子機器管理システム１による通信端末２０への情報提供の手順を示したシーケンス図である。
始めに、空気調節装置１０において、制御部１２が記憶部１３から電子機器ＩＤを読み出すとともに、フィルタ交換検出部１６、水漏れ検出部１７、及びモータ異常検出部１８から各々の検出結果（状態情報）を取得し、暗号化部１４へ送る。次に、暗号化部１４が、電子機器ＩＤ及び状態情報のデータを暗号化して、通信部１５に送る（ステップＳ１）。
【００５６】
次に、通信部１５が制御部１２の制御の下、暗号化された空気調節装置１０の電子機器ＩＤｉａ及び状態情報ｉｂを含む無線信号を、通信端末２０に送信する（ステップＳ２）。
【００５７】
次に、通信端末２０では、通信部２３が処理部２１の制御の下、空気調節装置１０から無線信号を受信する。そして、処理部２１は、受信した無線信号から暗号化された電子機器ＩＤｉａ及び状態情報ｉｂのデータを抽出し、暗号化された電子機器ＩＤｉａ及び状態情報ｉｂを、サーバ通信部２４によりネットワーク３０を介してサーバ４０へ送信する（ステップＳ３）。このとき通信端末２０では、無線信号の内容（データの内容）は認識していない。また、処理部２１は、記憶部２２に記憶された空調アプリケーション２１ａに対応する制御対象ＩＤｉｃを、サーバ通信部２４によりサーバ４０へ送信する（ステップＳ３）。
【００５８】
次に、サーバ４０は、通信部４１により通信端末２０から暗号化された電子機器ＩＤｉａ及び状態情報ｉｂを含むデータを受信する。また、サーバ４０は、通信部４１により空調アプリケーション２１ａに対応する制御対象機器ＩＤｉｃを受信する。そして、復号部４５は、通信部４１により受信した各データを復号し、判定部４６に送る（ステップＳ４）。
【００５９】
次に、判定部４６は、通信部４１が受信した電子機器ＩＤｉａと制御対象機器ＩＤｉｃを照合し、電子機器ＩＤｉａが通信端末２０の空調アプリケーション２１ａの処理対象であるか否かを判定する（ステップＳ５）。
【００６０】
ここで、電子機器ＩＤｉａと制御対象機器ＩＤｉｃが一致した場合、判定部４６は、その判定結果を処理部４７に通知し（ステップＳ６のＹＥＳ）、一致しなかった場合には、一連の処理を終了する（ステップＳ６のＮＯ）。
【００６１】
そして、処理部４７は、通信端末２０に当該通信端末２０の処理に必要な情報ｉｄを送信するよう制御する（ステップＳ７）。例えば、通信端末２０の処理に必要な情報ｉｄとして、通信端末２０による空気調節装置１０の操作を許可する通知を送信する（図２）。通信端末２０の処理部２１は、空気調節装置１０の操作の許可通知を受信すると、例えば、サーバ４０から送信された許可通知を表示部２６に表示する処理を行う（ステップＳ８）。許可通知を受けることにより、処理部２１は、空調アプリケーション２１ａを用いて、ユーザの操作指示（コマンド）を含む無線信号を空気調節装置１０へ送ることが可能になる。空気調節装置１０の制御部１２は、通信端末２０から送信された操作指示を含む無線信号を受信すると、操作指示を含むデータを不図示の主回路基板に送り、操作指示に応じて空気調節装置１０を動作させる。
【００６２】
また、例えば、通信端末２０の処理に必要な情報ｉｄとして、電子機器ＩＤｉａに対応した情報（商品情報等）を、通信端末２０を送信してもよい。受信した電子機器ＩＤｉａに対応する情報は、例えば商品情報を掲載する商品サイトにアクセスするためのＵＲＬである。通信端末２０では、処理部２１が、サーバ４０から送信されたＵＲＬを表示部２６に表示する処理を行う（ステップＳ８）。通信端末２０を保持するユーザが、操作部２５を操作してこのＵＲＬをクリックすることにより、通信端末２０は、ネットワークを介してこのＵＲＬにより特定される商品サイトにアクセスする。そして、通信端末２０は、アクセスした商品サイトよりダウンロードを開始する。そして、ダウンロードした商品の商品情報を、表示部２６に表示する。
【００６３】
一方、サーバ４０において、状態管理部４８は、通信端末２０から受信した空気調節装置１０の状態情報ｉｂを電子機器ＩＤｉａとともに、状態情報データベース４４に格納する処理を行う。そして、状態管理部４８が、状態情報データベース４４の内容に基づいて空気調節装置１０の状態情報を管理する（ステップＳ９）。例えば、状態管理部４８は、状態情報データベース４４にフィルタ交換が必要である（図５参照）等の通知すべき情報が存在する場合に、その情報を通信端末２０に通知する。
【００６４】
［ビーコン信号を出力する電子機器ＩＤと制御対象の電子機器ＩＤが一致しない場合］
図７は、冷蔵庫５０の電子機器ＩＤと制御対象（空気調節装置１０）の電子機器ＩＤ（制御対象機器ＩＤ）が一致しない場合の例である。以下、図７に示す電子機器管理システム１について、図２の電子機器管理システム１との相違点を中心に説明する。
【００６５】
図７において、通信端末２０が受信する無線信号（ビーコン信号）の発信元は、冷蔵庫５０であり、通信端末２０の制御対象機器は空気調節装置１０（図２参照）である。図７の例では、通信端末２０の近くに冷蔵庫５０があるが、通信端末２０には空気調節装置１０を操作するための空調アプリケーション２１ａがインストールされ、かつ起動している。
【００６６】
この場合、図８に示すように、電子機器ＩＤデータベース４３では、電子機器ＩＤｉａ“２００”と“冷蔵庫５０”が対応づけられて格納されている。
【００６７】
また、図９に示すように、状態情報データベース４４には、電子機器ＩＤｉａが“２００”である冷蔵庫５０の状態情報が格納される。そして、冷蔵庫５０に関する状態情報ｉｂとして、“水漏れあり”、“配管詰まりなし”、“モータ異常なし”が格納されている。
【００６８】
図７に示す電子機器管理システム１に、通信端末２０への情報提供の手順（図６参照）を適用すると、ステップＳ６において電子機器ＩＤｉａ（冷蔵庫５０のＩＤ：２００）と制御対象機器ＩＤｉｃ（空気調節装置１０のＩＤ：１００）が一致しないと判定される。図６の説明では、電子機器ＩＤｉａと制御対象機器ＩＤｉｃが一致しない場合、一連の処理を終了したが、情報として判定結果、すなわち通信端末２０による冷蔵庫５０の操作を許可しない通知を送信するようにしてもよい。通信端末２０の処理部２１は、冷蔵庫５０の操作の不許可通知を受信し、サーバ４０から送信された不許可通知を表示部２６に表示する処理を行う。このようにした場合、ユーザは電子機器ＩＤｉａと制御対象機器ＩＤｉｃが一致しないことから、誤った制御対象機器ＩＤを指定したことを理解できる。なお、冷蔵庫５０の状態情報ｉｂは、サーバ４０の状態情報データベース４４に蓄積される。
【００６９】
上述した一実施の形態では、電子機器が通信端末２０へ送信した無線信号に含まれる電子機器ＩＤｉａ及び状態情報ｉｂを、通信端末２０を介在させてそのままサーバ４０へ送信する。また通信端末２０は、制御対象機器ＩＤｉｃをサーバ４０へ送信する。サーバ４０は、受信した電子機器の状態情報ｉｂを蓄積する。また、サーバ４０は、通信端末２０から受信した電子機器ＩＤｉａと制御対象機器ＩＤｉｃに基づいて、電子機器ＩＤｉａが通信端末２０の処理対象であるか否かを判定する。そして、サーバ４０は、判定結果に応じて通信端末２０に当該通信端末２０の処理に必要な情報ｉｄを提供する。
【００７０】
このように電子機器の状態情報ｉｂを、通信端末２０を介在させるだけで外部のサーバ４０で保持することで、通信端末２０に従来のような追加の部品や処理を必要としない。それゆえ、通信端末２０や該通信端末２０を使用するユーザに負荷をかけることなく、電子機器の状態情報ｉｂを容易に管理することができる。ここで、電子機器ＩＤｉａが通信端末２０の処理対象である場合に、サーバ４０から通信端末２０に当該通信端末２０の処理に必要な情報ｉｄ（例えば、電子機器の操作許可や商品情報、状態情報等）を送信することで、通信端末２０は、当該通信端末２０が処理対象とする電子機器に関するサービスを受けられる。
【００７１】
逆に、電子機器ＩＤｉａが通信端末２０の処理対象でない場合には、サーバ４０から通信端末２０に対し当該通信端末２０に関係のない情報ｉｄを送らないため、通信端末２０が処理対象でない電子機器を操作したり、関係のない情報を閲覧したりできない。したがって、電子機器のセキュリティが保たれる。
【００７２】
さらに、サーバ４０は、通信端末２０が処理対象とする電子機器の状態を示す状態情報ｉｂに加え、その処理対象とする電子機器以外の状態情報ｉｂも管理することができる。また、電子機器の業者等は、サーバ４０の情報にアクセスするのみで、ユーザからの連絡がなくてもメンテナンス情報やユーザの電子機器の使用状況等を知ることができる。
【００７３】
＜２．変形例＞
上述した一実施の形態では、第１の識別情報として空気調節装置１０又は冷蔵庫５０の電子機器ＩＤを例示し、第２の識別情報として通信端末２０が処理対象（制御対象）とする電子機器の電子機器ＩＤ（制御対象機器ＩＤ）を例示した。しかし、第１の識別情報は、通信端末２０と通信している電子機器を特定できる情報であればよく、また第２の識別情報は、通信端末２０の処理対象の電子機器を特定できる情報であればよい。すなわち、図４に示した電子機器ＩＤデータベース４３の他にも、以下のようなものが考えられる。
【００７４】
図１０は、電子機器ＩＤデータベースの一例を示す。
例えば、第１の識別情報は、電子機器ＩＤに代えて、無線信号（ビーコン信号）を出力する集積回路（ビーコン装置）を識別するためのビーコンＩＤでもよい。サーバ４０の記憶部４２に、図１０に示すようなビーコンＩＤと電子機器ＩＤを対応づけた電子機器ＩＤデータベースを記憶しておく。これにより、サーバ４０の判定部４６は、通信端末２０から送信されるビーコンＩＤから電子機器ＩＤを特定し、第２の識別情報と照合することができる。図１０の例では、ビーコンＩＤ“ＡＡＡ”と空気調節装置１０の電子機器ＩＤ“１００”が対応づけられている。
【００７５】
また、第２の識別情報に、操作用アプリケーションのＩＤ（以下「アプリケーションＩＤ」と表記する）を用いてもよい。この場合、通信端末２０の記憶部２２には、アプリケーションＩＤが記憶される。ここで、一つの操作用アプリケーションが、同じ製品カテゴリーの複数の電子機器に対応する場合を考える。図１１に、操作用アプリケーションのＩＤと、当該操作用アプリケーションを用いて制御できる電子機器ＩＤが対応づけられた電子機器ＩＤデータベースの一例を示す。このようなデータベースを参照することで、電子機器から送られる電子機器ＩＤと、通信端末２０で起動している操作用アプリケーション（アプリケーションＩＤ）の組み合わせの正否を確認することができる。図１１の例では、アプリケーションＩＤ“ＢＢＢ”と、メーカー“××社”、空気調節装置の製品型番“ＣＯＭＤＩＡ”、“ＣＯＮＤＩＢ”、空気調節装置の電子機器ＩＤ“１００”〜“１９９”が対応づけられている。
【００７６】
また、一つの操作用アプリケーションが、複数の製品カテゴリーの複数の電子機器に対応してもよい。図１２に、操作用アプリケーションのＩＤと、当該操作用アプリケーションを用いて制御できる複数の製品カテゴリーの電子機器ＩＤが対応づけられた電子機器ＩＤデータベースの一例を示す。このようなデータベースを参照することで、図１１と同様に、電子機器から送られる電子機器ＩＤと、通信端末２０で起動している複数の製品カテゴリーに対応可能な操作用アプリケーション（アプリケーションＩＤ）の組み合わせの正否を確認することができる。図１２の例では、アプリケーションＩＤ“ＣＣＣ”と、メーカー“□□社”、製品カテゴリー“空気調節装置”、“冷蔵庫”、“洗濯機”、電子機器ＩＤ“１００”、“２００”、“３００”が対応づけられている。
【００７７】
さらに、第２の識別情報として、例えばユーザが制御対象とするメーカー、製品カテゴリー、製品型番等を指定することで、操作用アプリケーションを絞り込んでもよい。例えば、図１２のデータベースを用いた場合、メーカーと製品カテゴリーを指定すると、対応するアプリケーションＩＤ及び制御可能な電子機器ＩＤが特定される。このように、第１及び第２の識別情報については種々の形態を採り得るとともに、電子機器ＩＤと制御対象機器ＩＤ（アプリケーションＩＤ）の対応付けは、種々のデータベースを用いて実現することができる。
【００７８】
なお、上述した実施の形態では、空気調節装置１０や冷蔵庫５０等の電気製品、自動車６０に集積回路１１を組み込んだ構成を例示したが、集積回路が組み込まれる電子機器としては、これらの電気製品、自動車には限られない。電子機器としては、例えば、体重計や体組織計などの健康機器、照明装置などの住宅設備、ヘッドホンなどの周辺機器などの種々の電子機器が想定される。また、電子機器には、例えば扉の開閉の検出結果（状態情報）を出力する扉開閉センサ等、任意の対象物の状態を検出するセンサ、あるいはセンサから検知出力が供給された回数を数えカウント値を対象物の状態を示す情報として出力するカウンタも含まれる。さらに、電子機器には、電気製品等の状態を示す状態情報を記憶するメモリも含まれる。
【００７９】
また、上述した実施の形態では、通信端末の一例として携帯可能な通信端末２０を用いた例を示したが、通信端末としては、フィーチャーフォン、ページャー、携帯音楽プレイヤー、腕時計等の様々なモバイル端末を想定しうる。また、携帯可能な通信端末ではなく、電子機器との無線通信が可能な据え置き型の通信端末であってもよい。
【００８０】
さらに、本発明は上述した実施の形態例に限られるものではなく、特許請求の範囲に記載した本発明の要旨を逸脱しない限りその他種々の応用例、変形例を取り得ることは勿論である。
【００８１】
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【００８２】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【００８３】
１…電子機器管理システム、  １０…空気調節装置、  １１…集積回路、  １２…制御部、  １３…記憶部、  １５…通信部、  １６…フィルタ交換検出部、  １７…水漏れ検出部、  １８…モータ異常検出部、  ２０…通信端末、  ２１…処理部、  ２１ａ…空調アプリケーション、  ２２…記憶部、  ２３…通信部、  ２４…サーバ通信部、  ４０…サーバ、  ４１…通信部、  ４２…記憶部、  ４３…電子機器ＩＤ情報データベース、  ４４…状態情報データベース、  ４６…判定部、  ４７…処理部、  ４８…状態管理部、  ５０…冷蔵庫、  ｉａ…電子機器ＩＤ、  ｉｂ…状態情報、  ｉｃ…制御対象機器ＩＤ
【図１】
2015170193.tif 000003
【図２】
2015170193.tif 000004
【図３】
2015170193.tif 000005
【図４】
2015170193.tif 000006
【図５】
2015170193.tif 000007
【図６】
2015170193.tif 000008
【図７】
2015170193.tif 000009
【図８】
2015170193.tif 000010
【図９】
2015170193.tif 000011
【図１０】
2015170193.tif 000012
【図１１】
2015170193.tif 000013
【図１２】
2015170193.tif 000014